(57)【要約】【課題】携帯用電子機器等に使用される複合操作型スイッチに関し、プッシュスイッチ部を併有し、そのプッシュスイッチ部の操作方向と直交する面内で中点復帰式回転型スイッチ部が操作可能なものを提供する。【解決手段】下方に押圧操作可能なプッシュスイッチ部を備えたスイッチケース２１に、側方に突出する操作突部２８Ｂを備えた回転体２８を回転自在に支持させると共に、スイッチケース２１のバネ取付部２７に配したコイルバネ２６の両端に回転体２８下面に立設された一対の押縮突起２８Ｃを各々当接させた構成としたため、コイルバネ２６の圧縮力が各押縮突起２８Ｃに均等に加わり、回転体２８は回転操作範囲の中央位置で維持され、プッシュスイッチ部の操作方向と直交する面内での操作突部２８Ｂの回転操作で回転型スイッチ部が作動できるものとして実現できる。【選択図】図１
2006351218.tif 000002
【特許請求の範囲】
【請求項１】
下方に押圧操作することにより機能するプッシュスイッチ部が中央に配設されると共に、そのプッシュスイッチ部の周囲に同心的に回転スイッチ用の接点部を備えた上方開口のスイッチケースと、前記スイッチケースに配された弾性体と、平板部の下面に突出形成された一対の押縮突起で前記弾性体の両端を挟み込み、前記スイッチケース側壁から外方に突き出た操作突部を前記プッシュスイッチ部の操作方向と直交する面内で回転操作可能なように前記スイッチケースに回転自在に支持された回転体と、その回転体に備えられ、前記接点部とで前記回転型スイッチ部を構成する摺動子と、前記回転体上に配されて前記スイッチケースに装着されたカバーとを備え、前記プッシュスイッチ部と前記回転型スイッチ部とが一体化されて個々の操作が可能であると共に、前記回転型スイッチ部が、前記回転体の操作突部を回転操作すると、前記押縮突起の一方が前記弾性体を押縮していき、前記回転操作をやめると、前記弾性体が自己復元力で前記押縮突起の一方を弾発付勢して前記回転体を元の中点位置に戻す中点復帰式のものとされた複合操作型スイッチ。
【請求項２】
回転体の回転中心に対し、スイッチケースには、回転スイッチ用の接点が円弧状で配置され、前記回転スイッチ用の接点の円弧の仮想延長線上の位置に等間隔の円弧状に立設された弾性体取付部が設けられ、この弾性体取付部に取り付けられる弾性体が円筒形のコイルバネである請求項１記載の複合操作型スイッチ。
【請求項３】
回転体の操作突部をその回転操作方向で挟む駆動部を有し、プッシュスイッチ部が操作可能なように開口部分を備えた略円板状の操作体を、請求項１記載の複合操作型スイッチに対して上方側から回動可能に追加装着した複合操作型スイッチ。
【発明の詳細な説明】
【技術分野】
【０００１】
本発明は、各種電子機器の中で携帯電話機やＤＳＣ（デジタルスチルカメラ）などの携帯用電子機器に主として使用されるプッシュスイッチと中点復帰式回転型スイッチとを併有した複合操作型スイッチに関するものである。
【背景技術】
【０００２】
近年、携帯用電子機器に搭載されて各種制御を担うスイッチについては、セットの小型化、薄型化に伴って、小型、薄型化された多機能なスイッチが求められている。
【０００３】
そのような多機能なスイッチとして、プッシュスイッチと中点復帰式回転型スイッチを併有した従来の複合操作型スイッチについて、図７〜図１０を用いて説明する。
【０００４】
図７は従来の複合操作型スイッチの分解斜視図、図８は同外観図、図９は図８のＲ−Ｒ線の断面図、図１０はスイッチケースの平面図である。
【０００５】
同図において、１は上方開口でその中央部に円筒壁１Ａが立設された絶縁樹脂からなるスイッチケースで、このスイッチケース１の円筒壁１Ａ内には第１接点２が配設されている。また、前記円筒壁１Ａの外側には第２接点３が配設されている。
【０００６】
そして、前記第１接点２は、円筒壁１Ａ内の中央に配された中央接点２Ａとその周辺に配された周辺接点２Ｂから構成されており、この中央接点２Ａはスイッチケース１の外方に延設された端子４Ａと繋がり、周辺接点２Ｂは端子４Ｂと繋がって導出されている。
【０００７】
そして、前記第２接点３は、前記円筒壁１Ａの外側に略Ｔ字状に配されたコモン接点３Ａとこのコモン接点３Ａを挟む対称位置の両側に配された信号用接点３Ｂ，３Ｃから構成され、前記コモン接点３Ａは端子５Ａと繋がり、信号用接点３Ｂ，３Ｃは端子５Ｂ，５Ｃと繋がって、前記端子４Ａ，４Ｂが延設されたスイッチケース１の同じ側方へ導出されている。
【０００８】
そして、前記円筒壁１Ａ内には、外周下端が周辺接点２Ｂに接するようにして、上方に膨らんだドーム形状の弾性薄板金属製の可動接点６が載置され、その上部に、鍔部７Ａを境として上面に操作部７Ｂと下面に接点押圧部７Ｃがそれぞれ突設された駆動体７が載せられている。
【０００９】
そして、８はトーションコイルバネで、前記スイッチケース１の円筒壁１Ａを挟んで前記第２接点３の反対側に立設されたボス１Ｂにその中空部が挿通され、それぞれの対応位置に突設されたストッパ１Ｃにより両端部が各々規制されてスイッチケース１に取り付けられている。
【００１０】
そして、９は、円板部の中央に下方が拡径した段付中孔９Ａを有した回転体で、その円板部の外径は、前記スイッチケース１の開口部分を構成する外周壁１Ｄの内側に収まる大きさに設定されている。この回転体９の下面には、前記第２接点３（３Ａ，３Ｂ，３Ｃ）上を摺動する摺動子１０が取り付けられており、通常状態で摺動子１０の摺動部１０Ａは、Ｔ字状のコモン接点３Ａ上に位置している。そして、前記段付中孔９Ａの拡径した下方部分が下方に突き出た支持筒９Ｂとして形成されており、この支持筒９Ｂが前記円筒壁１Ａに外嵌されて回転自在に支持されている。そして、円板部下面に設けられた一対の作動突起９Ｃ（図１０に斜線を付して表記）が、前記トーションコイルバネ８の両端部それぞれに当接している。
【００１１】
また、回転体９の上面には操作つまみ（図示せず）を取り付けるための半円状の一対の取付壁９Ｄが前記段付中孔９Ａを囲む位置に形成されている。
【００１２】
そして、回転体９の段付中孔９Ａの段部が、前記円筒壁１Ａ内の可動接点６上に載せられた駆動体７の鍔部７Ａ上面に当接しており、可動接点６および駆動体７の上方への移動を規制している。
【００１３】
そして、１１は中央に開口部１１Ａを有した平板金属製のカバーで、その開口部１１Ａから前記回転体９の取付壁９Ｄおよび前記駆動体７の操作部７Ｂを上方に突出させるようにして、スイッチケース１上面に取り付けられている。
【００１４】
以上のように従来の複合操作型スイッチは構成され、次にその動作を説明する。
【００１５】
まず、プッシュスイッチ部の動作としては、駆動体７の操作部７Ｂを押圧すると、下面の接点押圧部７Ｃが可動接点６を押し下げ、ドーム形状部分が下方突形に弾性変形して中央接点２Ａと接触して、端子４Ａ，４Ｂ間がオンとなる。
【００１６】
そして、操作部７Ｂへの押圧力を解除すると、可動接点６自体の弾性復元力によりドーム形状が元の上方突形に復元して可動接点６は中央接点２Ａから離間すると共に、駆動体７の接点押圧部７Ｃを上方に付勢して、端子４Ａ，４Ｂ間がオンとなる。このように当該プッシュスイッチ部は、押圧力を加えた時にのみオンする所謂プッシュオンタイプのものである。
【００１７】
次に中央復帰式回転型スイッチ部の動作としては、回転体９を時計廻り方向に回転操作すると、その下面の一対の作動突起９Ｃも同一方向に移動する。このとき、図１０中で左側に表記した一方の作動突起９Ｃはトーションコイルバネ８の当接した一方の端部を同図中に点線で示すように撓ませていく。また、それと共に、摺動子１０も摺動していき、その摺動部１０Ａがコモン接点３Ａ上と一方の信号用接点３Ｂ上の位置に移動してコモン接点３Ａと信号用接点３Ｂとの間、つまり端子５Ａ，５Ｂの間が導通したオン状態となる。
【００１８】
そして、この回転操作力を解除すると、前記トーションコイルバネ８の弾発付勢力により、同図中で左側に表記した一方の作動突起９Ｃが押し戻されて回転体９が元の位置に戻る。これにより、摺動子１０の摺動部１０Ａも信号用接点３Ｂ上から外れ元の端子５Ａ，５Ｂ間のオフ状態に戻る。
【００１９】
また、回転体９を逆方向に回転操作すると、他方の作動突起９Ｃがトーションコイルバネ８の他方の端部を撓ませ、摺動子１０の摺動部１０Ａがコモン接点３Ａ上と他方の信号用接点３Ｃ上へ摺動移動して、端子５Ａ，５Ｃの間がオン状態となり、回転操作力を解除すると、トーションコイルバネ８の弾発付勢力により、元の位置に回転体９が戻され、スイッチもオフ状態となる。
【００２０】
このように従来の複合操作型スイッチは、中央を下方側に押圧した時にのみ機能するプッシュスイッチ部と、回転操作により機能すると共に、その回転操作力を解除すれば元の中点位置に自己復帰する中点復帰式回転型スイッチ部とを併有した構成のものであった。
【００２１】
なお、この出願の発明に関連する先行技術文献情報としては、例えば、特許文献１が知られている。
【特許文献１】実開平３−８２５３５号公報
【発明の開示】
【発明が解決しようとする課題】
【００２２】
前記従来の複合操作型スイッチは、回転体９の上面に立設された取付壁９Ｄに操作つまみを装着して中点復帰式回転型スイッチ部を操作する構成であったため、プッシュスイッチ部の押圧方向側となる上面位置に両者の操作部が配置されることとなる。
【００２３】
しかしながら、近年の携帯用電子機器の小型、薄型化に伴って、それら電子機器の操作用に使用されるスイッチも電子機器の端部位置に搭載されることが多くなり、その配置位置によっては、前記従来品では対応しにくい構成のものもでてきており、機器メーカーからその改善要望が高まっていた。
【００２４】
本発明は、このような従来の課題を解決するものであり、プッシュスイッチ部と中点復帰式回転型スイッチ部を併有し、プッシュスイッチ部の操作方向と直交する面内で突出する操作突部の回転操作により中点復帰式回転型スイッチ部が作動可能な小型、薄型の複合操作型スイッチを提供することを目的とする。
【課題を解決するための手段】
【００２５】
上記目的を達成するために本発明は、以下の構成を有するものである。
【００２６】
本発明の請求項１に記載の発明は、下方に押圧操作することにより機能するプッシュスイッチ部が中央に配設されると共に、そのプッシュスイッチ部の周囲に同心的に回転スイッチ用の接点部を備えた上方開口のスイッチケースと、前記スイッチケースに配された弾性体と、平板部の下面に突出形成された一対の押縮突起で前記弾性体の両端を挟み込み、前記スイッチケース側壁から外方に突き出た操作突部を前記プッシュスイッチ部の操作方向と直交する面内で回転操作可能なように前記スイッチケースに回転自在に支持された回転体と、その回転体に備えられ、前記接点部とで前記回転型スイッチ部を構成する摺動子と、前記回転体上に配されて前記スイッチケースに装着されたカバーとを備え、前記プッシュスイッチ部と前記回転型スイッチ部とが一体化されて個々の操作が可能であると共に、前記回転型スイッチ部が、前記回転体の操作突部を回転操作すると、前記押縮突起の一方が前記弾性体を押縮していき、前記回転操作をやめると、前記弾性体が自己復元力で前記押縮突起の一方を弾発付勢して前記回転体を元の中点位置に戻す中点復帰式のものとされた複合操作型スイッチであり、プッシュスイッチ部と中点復帰式回転型スイッチ部を併有し、プッシュスイッチ部の操作方向と直交する面内で突出する操作突部の回転操作により中点復帰式回転型スイッチ部が作動可能な小型、薄型の複合操作型スイッチを提供することができるという作用を有する。
【００２７】
請求項２に記載の発明は、請求項１記載の発明において、回転体の回転中心に対し、スイッチケースには、回転スイッチ用の接点が円弧状で配置され、前記回転スイッチ用の接点の円弧の仮想延長線上の位置に等間隔の円弧状に立設された弾性体取付部が設けられ、この弾性体取付部に取り付けられる弾性体が円筒形のコイルバネであるものであり、弾性体取付部を回転スイッチ用の接点の円弧の仮想延長線上の位置に配置したので径方向に小型化できると共に、弾性体のスイッチケースへの装着が容易に行えるものにできるという作用を有する。
【００２８】
請求項３に記載の発明は、回転体の操作突部をその回転操作方向で挟む駆動部を有し、プッシュスイッチ部が操作可能なように開口部分を備えた略円板状の操作体を、請求項１記載の複合操作型スイッチに対して上方側から回動可能に追加装着した複合操作型スイッチであり、プッシュスイッチ部と中点復帰式回転型スイッチ部の両方の操作がその上方側で集中して行えるものに構成できるという作用を有する。
【発明の効果】
【００２９】
以上のように本発明によれば、プッシュスイッチ部と中点復帰式回転型スイッチ部を併有し、プッシュスイッチ部の操作方向と直交する面内で突出する操作突部の回転操作により中点復帰式回転型スイッチ部が作動可能な小型、薄型の複合操作型スイッチを提供することができるという有利な効果が得られる。
【発明を実施するための最良の形態】
【００３０】
以下、本発明の実施の形態について、図１〜図６を用いて説明する。
【００３１】
なお、従来の技術の項で説明した構成と同一構成の部分には同一符号を付して、詳細な説明を簡略化する。
【００３２】
（実施の形態）
図１は本発明の一実施の形態による複合操作型スイッチの分解斜視図、図２は同外観図、図３は図２のＰ−Ｐ線の断面図、図４は同中点復帰機構を説明する部分外観図、図５は図３のＱ−Ｑ線の断面図、図６は操作体を追加装着する形態を説明する外観図である。
【００３３】
同図において、２１は上方開口で、その中央部に円筒壁２１Ａが設けられた絶縁樹脂からなる略円形のスイッチケースで、その円筒壁２１Ａ内には中央接点２２Ａと周辺接点２２Ｂからなる第１接点２２が配設され、その外側には略Ｔ字状のコモン接点２３Ａとその両側に配された信号用接点２３Ｂ，２３Ｃ（信号用接点２３Ｃは図中にあらわれず）からなる回転スイッチ用の第２接点２３が配設されている。そして、前記中央接点２２Ａ、周辺接点２２Ｂは端子２４Ａ、端子２４Ｂと繋がり、前記コモン接点２３Ａ、信号用接点２３Ｂ，２３Ｃは端子２５Ａ，２５Ｂ，２５Ｃと繋がって、各端子はスイッチケース２１の同じ側方へ延設されて導出されている。
【００３４】
そして、前記円筒壁２１Ａ内には、従来同様にドーム形状の弾性薄板金属からなる可動接点６が配されると共に可動接点６上に駆動体７が配されてプッシュスイッチ部が構成されている。
【００３５】
２６は、巻回の間隔を有して圧縮可能に形成され、両端部が円形に一巻き巻回された円筒形のコイルバネである。そして、２７は前記円筒壁２１Ａを挟んで前記第２接点２３の反対側となる略点対称位置に立設されたバネ取付部であり、円筒壁２１Ａと同心で所定間隔をあけて並んだ二つの円弧状部２７Ａ，２７Ｂからなり、それら円弧状部２７Ａ，２７Ｂの長さは、後述する回転体２８を回転可能に弾発付勢するバネ圧力が得られるように、コイルバネ２６の自然長より短く設けられ、各円弧状部２７Ａ，２７Ｂの両端それぞれは鉤状の係止部２７Ｃ，２７Ｄ，２７Ｅ，２７Ｆが対向してコイルバネ２６の両方の端部を係止保持している。また、前記円弧状部２７Ａ，２７Ｂどうし間の間隔は前記コイルバネ２６が滑らかに収まる寸法に設定され、底部はコイルバネ２６の形状に合わせて半円凹状の窪みとされている。
【００３６】
前記のように、弾性体としてのコイルバネ２６を円筒壁２１Ａに対して前記第２接点２３の略点対称位置に配置する構成とすると径方向の寸法が抑えられて、小型化することができると共に、スイッチケース２１への弾性体の装着も容易に行えるものにできる。なお、コイルバネ２６を、回転スイッチ用の第２接点２３の円弧の仮想延長線上の位置に配置するものとしても前記同様の効果が得られる。
【００３７】
そして、前記スイッチケース２１の前記バネ取付部２７側の外周壁２１Ｂには、切欠部２１Ｃが設けられている。
【００３８】
そして、２８は、中孔２８Ａを中央部に有した略円環平板状の回転体で、その下面には、前記第２接点２３上を摺動する摺動子１０が取り付けられており、操作されていない通常状態で、摺動子１０の摺動部１０Ａは、Ｔ字状のコモン接点２３Ａ上に位置している。そして、この回転体２８は、前記中孔２８Ａが前記円筒壁２１Ａに外嵌されて回転自在にスイッチケース２１により支持されている。また、回転体２８は、その外周に操作突部２８Ｂが突設されており、その操作突部２８Ｂが前記スイッチケース２１の切欠部２１Ｃから外方側に突出して、その操作突部２８Ｂにより側方からの回転操作が可能となっている。
【００３９】
さらに、この回転体２８の下面には、図４に示すように、前記バネ取付部２７に配されたコイルバネ２６の両端に対応する二箇所の位置にコイルバネ２６を押縮するための押縮突起２８Ｃが立設されており、この一対の押縮突起２８Ｃは、前記バネ取付部２７の鉤状の係止部２７Ｃ，２７Ｅと２７Ｄ，２７Ｆの間にそれぞれ位置して、コイルバネ２６の両端に当接している。この二箇所の押縮突起２８Ｃにコイルバネ２６からのバネ圧力が均等に加わっているため、回転体２８は回転操作範囲の中央位置で維持されている。
【００４０】
そして、この押縮突起２８Ｃは、図５に示すように、コイルバネ２６への当接面どうしが下方に開口した傾斜面で、この傾斜面の下端どうしの間隔は、バネ取付部２７に収容状体のコイルバネ２６の幅より広く設定されていると共に、押縮突起２８Ｃの根元近傍の平板部には、矩形孔２８Ｄが設けられている。この構成であれば、回転体２８をスイッチケース２１に組み合わせる際に、前記矩形孔２８Ｄからコイルバネ２６の位置を確認しつつ、押縮突起２８Ｃを滑らかにコイルバネ２６の両端に当接するように組み合わせることができてコイルバネ２６の変形発生の恐れも少なく、その組み合わせ作業性も良好なものとなる。なお、二箇所の押縮突起２８Ｃ間の回転体２８天面の位置も、バネ取付部２７の半円凹状の窪みと同様にコイルバネ２６の形状に合わせた窪み形状に形成されており、この回転体２８の窪みとスイッチケース２１のバネ取付部２７の窪みによりコイルバネ２６の外径寸法の一部を吸収して薄型化が図れると共に、コイルバネ２６の伸縮挙動の安定化も図られたものにできる。
【００４１】
そして、２９は、回転体２８が回転可能なように回転体２８の上方から重ねて配された平板金属製のカバーであり、その脚部が抱きカシメされることによりスイッチケース２１の開口上面を覆うようにしてスイッチケース２１に取り付けられている。このカバー２９は、中央位置に開口部２９Ａを有しており、前記スイッチケース２１への装着された状態で、その開口部２９Ａから前記プッシュスイッチ部における駆動体７の操作部７Ｂは上方に露出している。
【００４２】
以上のように本発明による複合操作型スイッチは構成され、次に動作について説明する。
【００４３】
まずプッシュスイッチ部の動作としては、従来同様に、駆動体７の操作部７Ｂを押圧すると、可動接点６が接点押圧部７Ｃで押されて、そのドーム形状部分が下方突形に弾性変形して中央接点２２Ａと接触し、端子２４Ａ，２４Ｂ間がオンする。そして、押圧力を解除すると、可動接点６が元の上方突形のドーム形状に復元して中央接点２２Ａから離間し、端子２４Ａ，２４Ｂ間がオフとなる。
【００４４】
次に、中点復帰式回転型スイッチ部の動作としては、回転体２８の操作突部２８Ｂに一方の回転方向の回転力を加えると、回転方向とは逆側の押縮突起２８Ｃがコイルバネ２６を押縮しながら中孔２８Ａを中心として回転体２８が回転し、下面の摺動子１０の摺動部１０Ａは、コモン接点２３Ａ上と信号用接点２３Ｂ上に摺動移動して、それぞれの接点と繋がった端子２５Ａ，２５Ｂ間がオン状態となる。
【００４５】
そして、前記回転力を解除すると、押縮されていたコイルバネ２６が回転方向とは逆側の押縮突起２８Ｃを付勢して回転体２８を元の位置に押し戻すと共に、摺動部１０Ａもコモン接点２３Ａのみの上まで戻り、端子２５Ａ，２５Ｂ間は元のオフ状態となる。
【００４６】
次に、回転体２８の操作突部２８Ｂに他方の回転方向に回転力を加えると、回転方向とは逆の押縮突起２８Ｃがコイルバネ２６を押縮しながら回転し、摺動子１０の摺動部１０Ａは、コモン接点２３Ａと信号用接点２３Ｃ上に摺動移動して、それぞれの接点と繋がった端子２５Ａ，２５Ｃ間がオン状態となる。
【００４７】
また、同様にこの回転力を解除すると、コイルバネ２６の復元力が回転方向とは逆の押縮突起２８Ｃを付勢して回転体２８を押し戻し、端子２５Ａ，２５Ｃ間はオフ状態となる。
【００４８】
なお、操作突部２８Ｂに回転力を加えない状態では、上述したように、回転体２８はコイルバネ２６の押縮突起２８Ｃへの付勢力によりバランスがとられて、操作範囲の中央位置で維持されている。
【００４９】
このように本実施の形態によれば、プッシュスイッチ部と中点復帰式回転型スイッチ部を併有し、プッシュスイッチ部の操作方向と直交するスイッチケース２１側方の面内に突出した操作突部２８Ｂを回転操作することによって中点復帰式回転型スイッチ部が作動できる小型、薄型の複合操作型スイッチを提供することができる。なお、前記構成を基として各種応用展開を図ってもよく、例えば円筒形のコイルバネ２６以外の弾性体を用いて前記同様の動作をなすものとしてもよい。
【００５０】
なお、図６に示すように、別部材を組み合わせて操作方向を変更することもできる。
【００５１】
図６において、３０はプッシュスイッチ部への操作が可能なようにカバー２９の開口部２９Ａ内が露呈する操作孔３０Ａを中央部に備えた略円板状の操作体で、この操作体３０の外周には、下方に垂下した取付爪３０Ｂが略対向位置に２ヶ所設けられていると共に、中点復帰式回転型スイッチ部の操作突部２８Ｂの回転方向の両側を挟むように先端が二股とされた駆動部３０Ｃが設けられている。
【００５２】
この操作体３０の取付爪３０Ｂをそれぞれスイッチケース２１の外周壁２１Ｂに設けられた装着段部２１Ｄに回転可能に係止すると共に、前記駆動部３０Ｃ先端で操作突部２８Ｂの両側を挟んで組み合わせたものであれば、前記操作孔３０Ａから駆動体７の操作部７Ｂを押圧操作してプッシュスイッチ部が作動でき、操作体３０を回転操作すると、その取付爪３０Ｂがスイッチケース２１の装着段部２１Ｄに係止状態で回転摺動し、駆動部３０Ｃの移動により操作突部２８Ｂが操作されて中点復帰式回転型スイッチ部が機能する。
【００５３】
そして、その回転操作力を解除すると、コイルバネ２６の弾性復元する付勢力により押縮突起２８Ｃが元に戻されて回転体２８が元の中点位置に戻り、併せて回転体２８の操作突部２８Ｂを挟んでいる駆動部３０Ｃ先端にも元に戻す回転力が伝わって前記取付爪３０Ｂが装着段部２１Ｄを回転摺動して操作体３０も元の位置に戻るものにできる。
【００５４】
このように、操作体３０を組み合わせることで、プッシュスイッチ部と中点復帰式回転型スイッチ部との両方の操作がその上方側で集中して行える小型、薄型の複合操作型スイッチとしても提供することができる。
【産業上の利用可能性】
【００５５】
本発明による複合操作型スイッチは、プッシュスイッチ部と中点復帰式回転型スイッチ部を併有し、プッシュスイッチ部の操作方向と直交する面内で突出する操作突部の回転操作により中点復帰式回転型スイッチ部が作動可能な小型、薄型のものが提供できるという効果を有し、各種電子機器の中でも特に携帯電話機やＤＳＣなどの携帯用電子機器等に有用である。
【図面の簡単な説明】
【００５６】
【図１】本発明の一実施の形態による複合操作型スイッチの分解斜視図
【図２】同外観図
【図３】図２のＰ−Ｐ線の断面図
【図４】同中点復帰機構を説明する部分外観図
【図５】図３のＱ−Ｑ線の断面図
【図６】操作体を追加装着する形態を説明する外観図
【図７】従来の複合操作型スイッチの分解斜視図
【図８】同外観図
【図９】図８のＲ−Ｒ線の断面図
【図１０】従来の複合操作型スイッチのスイッチケースの平面図
【符号の説明】
【００５７】
６  可動接点
７  駆動体
７Ａ  鍔部
７Ｂ  操作部
７Ｃ  接点押圧部
１０  摺動子
１０Ａ  摺動部
２１  スイッチケース
２１Ａ  円筒壁
２１Ｂ  外周壁
２１Ｃ  切欠部
２２  第１接点
２２Ａ  中央接点
２２Ｂ  周辺接点
２３  第２接点
２３Ａ  コモン接点
２３Ｂ，２３Ｃ  信号用接点
２４Ａ，２４Ｂ，２５Ａ，２５Ｂ，２５Ｃ  端子
２６  コイルバネ
２７  バネ取付部
２７Ａ，２７Ｂ  円弧状部
２７Ｃ，２７Ｄ，２７Ｅ，２７Ｆ  係止部
２８  回転体
２８Ａ  中孔
２８Ｂ  操作突部
２８Ｃ  押縮突起
２８Ｄ  矩形孔
２９  カバー
２９Ａ  開口部
３０  操作体
３０Ａ  操作孔
３０Ｂ  取付爪
３０Ｃ  駆動部
【図１】
2006351218.tif 000003
【図２】
2006351218.tif 000004
【図３】
2006351218.tif 000005
【図４】
2006351218.tif 000006
【図５】
2006351218.tif 000007
【図６】
2006351218.tif 000008
【図７】
2006351218.tif 000009
【図８】
2006351218.tif 000010
【図９】
2006351218.tif 000011
【図１０】
2006351218.tif 000012